【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
照明光の出力を有する照明光源と、
レーザ光の出力を有するレーザ光源と、
前記照明光と前記レーザ光との両方を単一の出力用光ファイバに集束させ前記照明光と前記レーザ光とを混合する手段とを備え、
前記レーザ光および前記照明光が前記単一の出力用光ファイバを通して送出される
ことを特徴とする照明及びレーザ光源。
【請求項２】
前記照明光と前記レーザ光とを混合する手段が、前記照明光の出力の照明光円錐角と前記レーザ光の出力のレーザ光円錐角とを前記光ファイバの出力端に実質的に維持する手段を備えることを特徴とする請求項１に記載の照明及びレーザ光源。
【請求項３】
円錐状照明光が陰を有し、その陰の中に前記レーザ光が配置されることを特徴とする請求項２に記載の照明及びレーザ光源。
【請求項４】
前記照明光と前記レーザ光とを混合する手段が、
前記レーザ光をコリメートしてコリメートされたレーザ光ビームを形成する手段と、
前記照明光をコリメートしてコリメートされた照明光ビームを形成する手段と、
前記コリメートされた両ビームを一緒に組み合わせる手段と、
前記コリメートされた両ビームを前記単一の出力用光ファイバに集束させる手段と
を備えることを特徴とする請求項１に記載の照明及びレーザ光源。
【請求項５】
前記出力用光ファイバに接続され、この出力用光ファイバが前記照明光用に、または前記レーザ光用に、あるいは前記照明光と前記レーザ光との両方用に最適にあるいは所望通りに設計されているかを指示するコネクタ手段が設けられていることを特徴とする請求項１に記載の照明及びレーザ光源。
【請求項６】
前記照明光の分光特性に実質的に影響しない制御装置を有する照明光調光手段が設けられていることを特徴とする請求項１に記載の照明及びレーザ光源。
【請求項７】
前記レーザ光をコリメートしてコリメートされたレーザ光ビームを形成する手段がレーザコリメート用レンズを備え、
前記照明光をコリメートしてコリメートされた照明光ビームを形成する手段が第１のコリメート用レンズを備え、
前記コリメートされた両ビームを前記出力用光ファイバに集束させる手段が第２の集束用レンズを備えることを特徴とする請求項４に記載の照明及びレーザ光源。
【請求項８】
前記コリメートされた両ビームを一緒に組み合わせる手段が、前記コリメートされたレーザ光を前記コリメートされた照明光に対して位置決めする操作ミラーを備えることを特徴とする請求項７に記載の照明及びレーザ光源。
【請求項９】
第２の照明光路の出力端が設けられていることを特徴とする請求項１に記載の照明及びレーザ光源。
【請求項１０】
前記照明光調光手段が、前記出力用光ファイバの前面を横切って前記照明光源の像を移動することができる操作可能なレンズを備えることを特徴とする請求項６に記載の照明及びレーザ光源。
【請求項１１】
１つ又は複数の照明光フィルタが設けられていることを特徴とする請求項４に記載の照明及びレーザ光源。
【請求項１２】
前記フィルタが前記コリメートされた照明光の中に配置されていることを特徴とする請求項１１に記載の照明及びレーザ光源。
【請求項１３】
照明光の出力を有する照明光源と、
前記照明光の一部をコリメートしてコリメートされた照明光路を形成することができる第１のレンズと、
レーザ光の出力を有し、このレーザ光をコリメートして前記コリメートされた照明光路内にコリメートされたレーザビームを形成するレーザ光源と、
前記コリメートされた照明光と前記コリメートされたレーザビームとを１つの光ファイバに集束させることができる第２のレンズと、
を備えることを特徴とする照明及びレーザ光源。
【請求項１４】
前記レーザ光をコリメートできるレーザコリメート用レンズと、
前記コリメートされたレーザビームを反射でき、前記コリメートされたレーザビームを前記コリメートされた照明光路内に位置させる操作ミラーとが設けられていることを特徴とする請求項１３に記載の照明及びレーザ光源。
【請求項１５】
前記コリメートされた照明光内に位置する前記コリメートされたレーザビームは前記照明光にほぼ平行であることを特徴とする請求項１４に記載の照明及びレーザ光源。
【請求項１６】
幾何学中心を有する１つ又は複数の球面反射鏡が設けられ、前記照明光源が前記幾何学中心と前記第１のレンズの焦点とに配置されていることを特徴とする請求項１３に記載の照明及びレーザ光源。
【請求項１７】
幾何学中心を有する１つ又は複数の球面反射鏡が設けられ、前記照明光源が前記幾何学中心と前記第１のレンズの焦点とに配置されていることを特徴とする請求項１４に記載の照明及びレーザ光源。
【請求項１８】
前記第１のレンズを操作でき前記第１のレンズ上にマウントを備える調光機構が設けられていることを特徴とする請求項１３に記載の照明及びレーザ光源。
【請求項１９】
前記調光機構のマウントが、光学ベンチに取付けられた第１の部分と、前記第１のレンズを保持する第２の部分とを備え、前記第１の部分および第２の部分がばねに取付けられ、前記第２の部分への圧力が前記ばねを撓ませかつ前記第１のレンズを移動させることを特徴とする請求項１８に記載の照明及びレーザ光源。
【請求項２０】
前記調光機構のマウントが、前記圧力を前記第２の部分に加えることのできるカムを備えていることを特徴とする請求項１９に記載の照明及びレーザ光源。
【請求項２１】
照明光の出力を有する単一の照明光源と、
前記照明光を二つ以上の光ファイバに集束させることができる、前記照明光に対する二つ以上の独立な集光システムとを備えることを特徴とする照明光源。
【請求項２２】
前記二つ以上の独立な集光システムが、
それぞれ１つの焦点を有し、前記照明光の一部をコリメートしてコリメートされた照明光路を形成することができる二つ以上の第１のレンズと、
それぞれ１つの幾何学中心を有し、前記照明光源が前記幾何学中心と前記焦点とに配置されるようにする二つ以上の球面反射鏡と、
前記コリメートされた照明光を前記二つ以上の光ファイバに集束させることができ、二つの照明光源を前記単一の照明光源から利用可能であるようにする二つ以上の第２のレンズと、
を備えていることを特徴とする請求項２１に記載の照明光源。
【請求項２３】
前記照明光源がアークランプを備えることを特徴とする請求項２１に記載の照明光源。
【請求項２４】
前記照明光源がアークランプを備えることを特徴とする請求項２２に記載の照明光源。
【請求項２５】
前記照明光源がアークランプを備えることを特徴とする請求項１に記載の照明光源。
【請求項２６】
前記照明光源がアークランプを備えることを特徴とする請求項１３に記載の照明光源。
【請求項２７】
前記照明光の分光特性に実質的に影響しない制御装置を有する照明光調光機構が設けられていることを特徴とする請求項２１に記載の照明光源。
【請求項２８】
前記照明光の分光特性に実質的に影響しない制御装置を有する照明光調光機構が設けられていることを特徴とする請求項２２に記載の照明光源。
【請求項２９】
光パワーを受光するセンサと、前記光パワーの値を指示するディスプレーと、制御回路とを有するパワーメータが設けられていることを特徴とする請求項２７に記載の照明及びレーザ光源。
【請求項３０】
前記操作ミラーが前記コリメートされた照明光路内に陰をもたらし、その陰に前記コリメートされたレーザビームが配置されることを特徴とする請求項１４に記載の照明及びレーザ光源。
【請求項３１】
１つ又は複数の前記光ファイバが前記照明光内に陰を有し、その陰の中にレーザ治療ビームが配置されることを特徴とする請求項２１に記載の照明光源。